(57)【要約】      （修正有）【課題】押しボタン中心にスイッチ素子を配置できない場合に好適な押しボタンスイッチ装置を得る。【解決手段】押しボタン３０の平面中心に対してオフセットした位置に被押圧部を有するスイッチ素子１３を備えた押しボタンスイッチ装置であって、押しボタンをその略平面中心に位置させたコイルばね３５で突出方向に移動付勢し、この押しボタンの平面中心部に関し互いに反対側に位置させて、揺動支点台とスイッチ押し軸を設け、押しボタン台座２０上に、押しボタンの揺動支点台２６と対応する揺動支点突起３７を設けた押しボタンスイッチ装置。押しボタンの揺動支点突起と押しボタン台座の揺動支点台は、押しボタンの突出位置では非接触で、押しボタンの中間押圧位置で互いに接触し、接触後は押しボタンが該揺動支点突起を中心に揺動運動する。【選択図】  図４
2004214099.tif 000002
【特許請求の範囲】
【請求項１】
押しボタン台座上に、突出位置を規制して押圧動作可能に支持された押しボタン；
この押しボタンの略平面中心に位置させて、該押しボタンと押しボタン台座との間に挿入した、該押しボタンを突出方向に移動付勢するコイルばね；
この押しボタンの平面中心に対してオフセットした位置に被押圧部を有するスイッチ素子；
上記押しボタンの平面中心部に関し互いに反対側に位置させた、揺動支点台と上記スイッチ素子の被押圧部に対応する押し軸；及び
上記押しボタン台座上に形成した、上記押しボタンの揺動支点台と対応する揺動支点突起；
を有し、
上記押しボタンの揺動支点突起と押しボタン台座の揺動支点台は、押しボタンの突出位置では非接触で、押しボタンの中間押圧位置で互いに接触し、接触後は押しボタンが該揺動支点突起を中心に揺動運動することを特徴とする押しボタンスイッチ装置。
【請求項２】
請求項１記載の押しボタンスイッチ装置において、押しボタンは、揺動支点台と揺動支点突起が当接する前にその押し軸により一つのスイッチ動作を実行し、揺動支点台と揺動支点突起が当接下後の揺動運動で別のスイッチ動作を実行する押しボタンスイッチ装置。
【請求項３】
請求項１または２記載の押しボタンスイッチ装置において、上記揺動支点台及び揺動支点突起は、押しボタンの平面中心と押し軸を結ぶ線分に対して略直交している押しボタンスイッチ装置。
【請求項４】
請求項３記載の押しボタンスイッチ装置において、上記揺動支点台と揺動支点突起は、一方が凸かまぼこ形状で、他方が凹かまぼこ形状である押しボタンスイッチ装置。
【請求項５】
請求項３または４記載の押しボタンスイッチ装置において、上記押しボタンは平面長円形状をなしており、上記揺動支点台と揺動支点突起は、この長円形状の長軸方向に長い押しボタンスイッチ装置。
【発明の詳細な説明】
【０００１】
【技術分野】
本発明は、例えばカメラのレリーズスイッチとして好適な押しボタンスイッチ装置に関する。
【０００２】
【従来技術及びその問題点】
従来の押しボタンスイッチは、スイッチ素子と押しボタンとを同軸に配置し、押しボタンの中心に設けた押し軸でスイッチ素子の被押圧部分を押圧している。押しボタンを戻り位置に付勢する戻りばねは、コイルばねの場合、押しボタンの押し軸回りに設けるのが普通であった。
【０００３】
ところが、本出願人が開発中のカメラでは、小型化を追求した結果、押しボタン中心にスイッチ素子を配置できない。
【０００４】
【特許文献】
特開２００１−２９０２００号公報
【０００５】
【発明の目的】
本発明は、押しボタン中心にスイッチ素子を配置できない場合に好適な押しボタンスイッチ装置を得ることを目的とする。
また本発明は、カメラのレリーズスイッチ装置のように、１段押しで測光し、２段押しでレリーズするというようなストロークの大きいスイッチ装置に適用できる押しボタンスイッチ装置を得ることを目的とする。
【０００６】
【発明の概要】
本発明による押しボタンスイッチ装置は、押しボタン台座上に、突出位置を規制して押圧動作可能に支持された押しボタン；この押しボタンの略平面中心に位置させて、該押しボタンと押しボタン台座との間に挿入した、該押しボタンを突出方向に移動付勢するコイルばね；この押しボタンの平面中心に対してオフセットした位置に被押圧部を有するスイッチ素子；押しボタンの平面中心部に関し互いに反対側に位置させた、揺動支点台とスイッチ素子の被押圧部に対応する押し軸；及び押しボタン台座上に形成した、押しボタンの揺動支点台と対応する揺動支点突起；を有し、押しボタンの揺動支点突起と押しボタン台座の揺動支点台は、押しボタンの突出位置では非接触で、押しボタンの中間押圧位置で互いに接触し、接触後は押しボタンが該揺動支点突起を中心に揺動運動することを特徴としている。
【０００７】
押しボタンの押し軸は、押しボタンの揺動支点突起と押しボタン台座の揺動支点台が接触する前、または（および）接触後の揺動動作で、スイッチ素子を動作させる。特に、押しボタンの揺動支点突起と揺動支点台が接触する前に１つのスイッチ動作を行わせ、接触後の揺動動作で別のスイッチ動作を行わせると、異なる操作感で二つのスイッチ動作を行わせることができる。
【０００８】
揺動支点台及び揺動支点突起は、押しボタンの平面中心と押し軸を結ぶ線分に対して略直交する形状とすると、安定した揺動動作を行わせることができる。揺動支点台と揺動支点突起は、一方を凸かまぼこ形状とし、他方を凹かまぼこ形状とするのがよい。
【０００９】
押しボタンの平面形状を長円形状とする場合には、揺動支点台と揺動支点突起は、この長円形状の長軸方向に長く設定するのがよい。
【００１０】
【発明の実施形態】
図示実施形態は、カメラのレリーズスイッチ装置に本発明を適用した例である。カメラ１０の上面カバー部材１１には、開口１２が形成されており、この開口１２に、合成樹脂材料の成形品からなる押しボタン台座（レリーズ台座）２０が挿入固定されている。開口１２は、この実施形態ではカメラの左右方向に長い長円状（小判状）をしており、押しボタン台座２０は、開口１２の平面形状と対応する平面形状の筒状部２１と、この筒状部２１の上端部から外方に延び開口１２の周縁に沿う外方フランジ２２と、筒状部２１の下端部を閉じる底壁２３とを有している。底壁２３には、その略中心部にばね受け突起２４が形成されており、このばね受け突起２４の前方にスイッチ軸穴２５が穿設され、後方に揺動支点台２６が形成されている。揺動支点台２６はばね受け突起２４とスイッチ軸穴２５を結ぶ線分に対して略直交するかまぼこ状（断面半円柱状）の突起であり、平面長円形状の押しボタンの長軸方向に長い。また、この押しボタン台座２０の筒状部２１の下部と底部２３には、平面長円状をなす筒状部２１の長軸方向の両端部に位置させて下端を開放した一対の係止切欠２７が形成されている。
【００１１】
カメラ１０内には、押しボタン台座２０の下に位置させて、スイッチ素子（タクトスイッチ素子）１３が配設固定されている。このスイッチ素子１３は平面的に見て開口１２からオフセットしており、その中心（被押圧部）は、スイッチ軸穴２５の直下に位置している。スイッチ素子１３はＦＰＣ基板１４を介してカメラのＣＰＵに接続されている。
【００１２】
押しボタン（レリーズボタン）３０は、押しボタン台座２０の筒状部２１内に位置するボタン本体３１と、このボタン本体３１の上面に接着固定される金属製のボタンキャップ３２とからなっている。ボタン本体３１は合成樹脂材料の成形品からなっていて、平面形状は筒状部２１の平面形状に対応し、その中心部にばね受け凹部３３が形成されている。ばね受け凹部３３の径は押しボタン台座２０のばね受け突起２４の径より大きく、このばね受け凹部３３とばね受け突起２４との間に円錐コイルばね３５が挿入されていて、押しボタン３０を常時突出方向に付勢している。一方、ボタン本体３１は、押しボタン台座２０の係止切欠２７内に挿入される抜止脚３４を有しており、この抜止脚３４の先端係止爪３４ａが係止切欠２７の上端部に係合する位置で押しボタン３０の突出端が規制されている（抜け止めが図られている）。
【００１３】
ボタン本体３１には、ばね受け凹部３３を挟んでその前後に、スイッチ軸穴２５に対応するスイッチ押し軸３６と、揺動支点突起３７が形成されている。スイッチ押し軸３６は、スイッチ軸穴２５を通ってスイッチ素子１３側に延びている。揺動支点突起３７は、揺動支点台２６に対応するかまぼこ状（断面半円筒状）の凹部からなっている。
【００１４】
揺動支点突起３７と揺動支点台２６は、押しボタン３０の突出位置では離間しており、一定距離押し下げると互いに当接する。そして揺動支点突起３７が揺動支点台２６に当接した後さらに押しボタン３０を押すと、該押しボタン３０は揺動支点台２６（揺動支点突起３７）を中心に揺動する。ボタン台座２０の筒状部２１の内面には、押しボタン３０のこの傾動動作を可能とする逃げ凹部２８（図３、図４）が形成されている。
【００１５】
以上の構成の本レリーズスイッチ装置は従って、押しボタン３０に外力を加えない状態では、円錐コイルばね３５により突出方向に移動付勢されている押しボタン３０が抜止脚３４と係止切欠２７との係合により突出端に保持され、スイッチ押し軸３６はスイッチ素子１３から離間している（図３）。
【００１６】
円錐コイルばね３５の力に抗して押しボタン３０を押圧すると、まず揺動支点突起３７が揺動支点台２６に当接する。押しボタン３０のこの単純押下動作により、スイッチ押し軸３６がスイッチ素子１３の被押圧部を押圧してスイッチ素子１３の１段押し（測光スイッチオン）を実行することができる。さらに、押しボタン３０を押圧すると、押しボタン３０は揺動支点突起３７（２７）を中心に揺動して、そのスイッチ押し軸３６を深くスイッチ素子１３に係合させ、スイッチ素子１３の２段押し（レリーズスイッチオン）を実行することができる。押しボタン３０の一部は、この傾動動作の際、押しボタン台座２０の逃げ凹部２８内に進入する（図４）。
【００１７】
押しボタン３０は常時はその中心部に位置する円錐コイルばね３５によって突出方向に付勢されているから、押しボタン３０を押圧操作するときには最初は直線的な押圧操作感が得られる。次に揺動支点突起３７が揺動支点台２６に当接した後は、揺動動作となり、異なった操作感を与えることができる。しかし、この揺動量（角度）は数度程度で済み、異和感を与えることがない。
【００１８】
以上の実施形態のように、本発明の押しボタンスイッチ装置は、比較的長いストロークを必要とするカメラのレリーズスイッチ装置に好適であるが、他の電子機器の押しボタンスイッチ装置としても適用可能である。
【００１９】
【発明の効果】
本発明によれば、押しボタン中心にスイッチ素子を配置できない場合に好適な押しボタンスイッチ装置が得られる。
【図面の簡単な説明】
【図１】本発明による押しボタンスイッチ装置の一実施形態を示す分解斜視図である。
【図２】ボタンキャップを外した状態の平面図である。
【図３】図１のＩＩＩ−ＩＩＩ線に沿う断面図である。
【図４】図１のＩＩＩ−ＩＩＩ線に沿う、図３とは異なる動作状態の断面図である。
【図５】図１のＶ−Ｖ線に沿う断面図である。
【図６】図１のＶＩ−ＶＩ線に沿う断面図である。
【符号の説明】
１０  カメラ
１１  上面カバー部材
１２  開口
１３  スイッチ素子
１４  ＦＰＣ基板
２０  押しボタン台座
２１  筒状部
２２  外方フランジ
２３  底壁
２４  ばね受け突起
２５  スイッチ軸穴
２６  揺動支点台
２７  係止切欠
２８  逃げ凹部
３０  押しボタン
３１  ボタン本体
３２  ボタンキャップ
３３  ばね受け凹部
３４  抜止脚
３４ａ  先端係止爪
３５  円錐コイルばね
３６  スイッチ押し軸
３７  揺動支点突起
【図１】
2004214099.tif 000003
【図２】
2004214099.tif 000004
【図３】
2004214099.tif 000005
【図４】
2004214099.tif 000006
【図５】
2004214099.tif 000007
【図６】
2004214099.tif 000008